(57)【要約】【課題】外部機器をテレビジョン受像機に新規に接続して使用する際に、ユーザの入力切替手間を省く。【解決手段】外部機器（ＶＴＲ３１、ゲーム機３２など）の接続時に、画面モード（映画、ゲームなど）に応じた優先順位に基づいて外部入力端子Ｔ１〜Ｔ４を切り替える。例えば、画面モードが「映画」である場合、ラベル名「HDMI」「DVD」「VTR」がそれぞれ優先順位「１」「２」「３」であるとすれば、ユーザが入力切替ボタン１０を押すたびに、ラベル名が「HDMI」→「DVD」→「VTR」と切り替わる。そして、ラベル名「HDMI」「DVD」「VTR」がそれぞれ外部入力端子Ｔ４、Ｔ３、Ｔ１に対応している場合、ユーザが入力切替ボタン１０を押すたびに、外部入力端子がＴ４→Ｔ３→Ｔ１と切り替わる。これにより、画面モードに相応しい順序で外部入力端子Ｔ１〜Ｔ４が切り替わるため、新規接続の場合でも、相応しい入力に素早く切り替えることができる。【選択図】図１
2007306117.tif 000002
【特許請求の範囲】
【請求項１】
外部機器が接続される複数個の外部入力端子を切り替える入力切替方法であって、
画面モードに基づいて前記外部入力端子を切り替えることを特徴とする入力切替方法。
【請求項２】
複数個の外部入力端子を切り替える入力切替方法であって、
画面モードに応じた優先順位に基づいて前記外部入力端子を切り替えることを特徴とする入力切替方法。
【請求項３】
前記外部入力端子に前記外部機器が接続されていない場合には、当該外部入力端子を切替候補から外すことを特徴とする請求項１または２に記載の入力切替方法。
【請求項４】
外部機器が接続される複数個の外部入力端子を切り替える入力切替装置であって、
画面モードを判定する画面モード判定手段と、
画面モードに応じて前記外部入力端子の優先順位が記された優先順位テーブルを格納する優先順位テーブル記憶手段と、
前記優先順位テーブルに記された優先順位に基づいて前記外部入力端子を切り替える入力切替手段と
が設けられていることを特徴とする入力切替装置。
【請求項５】
ラベル名と入力端子との対応関係が記されたラベル名テーブルを格納するラベル名テーブル記憶手段が設けられ、
前記入力切替手段は、前記ラベル名テーブルに記された対応関係に基づいて前記外部入力端子を切り替えることを特徴とする請求項４に記載の入力切替装置。
【請求項６】
前記入力切替手段は、前記外部入力端子に前記外部機器が接続されていない場合に当該入力端子を切替候補から外すことを特徴とする請求項４または５に記載の入力切替装置。
【請求項７】
請求項４乃至６のいずれかに記載の入力切替装置を備えていることを特徴とする表示機器。
【請求項８】
請求項７に記載の表示機器を具備することを特徴とするＡＶシステム。
【発明の詳細な説明】
【技術分野】
【０００１】
本発明は、例えば、ＤＶＤ（Digital Versatile Disc）プレーヤ、ＶＴＲ（ビデオテープレコーダ）、ゲーム機、ハイビジョンレコーダ（ＨＤＭＩ対応機器）などの外部機器がテレビジョン受像機に接続されたＡＶシステムに関するものである。
【背景技術】
【０００２】
この種のＡＶシステムにおいては、テレビジョン受像機に複数個の外部入力端子が設けられており、ある外部入力端子に外部機器を接続して使用するとき、ユーザ（視聴者）は、入力切替ボタンを何回か押して所望の外部入力に切り替えている。このとき、ＡＶシステム側では、入力切替ボタンが押されるたびに、外部入力を順に切り替えている。例えば、入力「１」〜「４」の４個の外部入力端子がある場合、入力切替ボタンを１回押すと入力「１」に切り替わり、入力切替ボタンをもう１回（通算２回）押すと入力「２」に切り替わり、入力切替ボタンをもう１回（通算３回）押すと入力「３」に切り替わり、入力切替ボタンをもう１回（通算４回）押すと入力「４」に切り替わり、入力切替ボタンをもう１回（通算５回）押すと再び入力「１」に切り替わる。
【０００３】
ところが、これでは、ユーザが入力切替を効率よく行えない場合がある。例えば、入力「１」から入力「４」に切り替えたいときでも、入力「２」、「３」を経由しなければならないので、入力切替の効率が悪くなる。
【０００４】
そこで、入力切替を効率よく行えるようにすることを目的として、設定の頻度や視聴時間などの視聴履歴に基づいて外部入力を切り替える手法（以下、公知技術１という。）が提案されていた（例えば、特許文献１参照）。
【特許文献１】特開２００５−１０１８６３号公報
【発明の開示】
【発明が解決しようとする課題】
【０００５】
しかし、公知技術１では、過去の視聴履歴を基にしているため、新規に接続した外部機器に対しては優先順位が落ちてしまう。例えば、新たにHDMI対応機器をテレビジョン受像機に接続した場合、新規接続のため視聴履歴がなく、切替候補の下位になってしまう。その結果、ユーザは、所望の入力に素早く切り替えることができず、却って入力切替手間が増えるという課題があった。
【０００６】
本発明は、こうした課題を解決することが可能な、入力切替方法、入力切替装置、表示機器およびＡＶシステムを提供することを目的とする。
【課題を解決するための手段】
【０００７】
本発明に係る入力切替方法では、外部機器が接続される複数個の外部入力端子を切り替える入力切替方法であって、画面モードに基づいて前記外部入力端子を切り替えることを特徴とする。
本発明に係る入力切替方法では、複数個の外部入力端子を切り替える入力切替方法であって、画面モードに応じた優先順位に基づいて前記外部入力端子を切り替えることを特徴とする。
本発明に係る入力切替方法では、前記外部入力端子に前記外部機器が接続されていない場合には、当該外部入力端子を切替候補から外すことを特徴とする。
本発明に係る入力切替装置では、外部機器が接続される複数個の外部入力端子を切り替える入力切替装置であって、画面モードを判定する画面モード判定手段と、画面モードに応じて前記外部入力端子の優先順位が記された優先順位テーブルを格納する優先順位テーブル記憶手段と、前記優先順位テーブルに記された優先順位に基づいて前記外部入力端子を切り替える入力切替手段とが設けられていることを特徴とする。
本発明に係る入力切替装置では、ラベル名と入力端子との対応関係が記されたラベル名テーブルを格納するラベル名テーブル記憶手段が設けられ、前記入力切替手段は、前記ラベル名テーブルに記された対応関係に基づいて前記外部入力端子を切り替えることを特徴とする。
本発明に係る入力切替装置では、前記入力切替手段は、前記外部入力端子に前記外部機器が接続されていない場合に当該入力端子を切替候補から外すことを特徴とする。
本発明に係る表示機器では、上記入力切替装置を備えていることを特徴とする。
本発明に係るＡＶシステムでは、上記表示機器を具備することを特徴とする。
【発明の効果】
【０００８】
本発明によれば、外部機器を使用する際に、画面モードに相応しい順序で外部入力端子が切り替わるため、新規接続の場合においても、相応しい入力に素早く切り替え、ユーザの入力切替手間を省くことが可能となる。
【発明を実施するための最良の形態】
【０００９】
以下、本発明の実施形態を図面に基づいて説明する。
【００１０】
図１は本発明に係るＡＶシステムの一実施形態を示すブロック図、図２は優先順位テーブルの第１例を示す模式図、図３は優先順位テーブルの第２例を示す模式図、図４はラベル名テーブルの第１例を示す模式図、図５はラベル名テーブルの第２例を示す模式図、図６は入力切替プログラムの一例を示すフローチャートである。
【００１１】
ＡＶシステム１は、図１に示すように、テレビジョン受像機２を具備しており、テレビジョン受像機２は、入力切替装置５を備えている。入力切替装置５は、ＣＰＵ（中央演算処理装置）などの主制御部８を有しており、主制御部８には、画面モード判定部９、入力切替ボタン１０、チューナ制御部１１、Ａ／Ｖ入力選択部１２、Ａ／Ｖ出力制御部１３、ＲＯＭ（読取り専用記憶装置）などの優先順位テーブル記憶部１５、ＲＡＭ（読取り書込み記憶装置）などのラベル名テーブル記憶部１６、ＲＯＭなどのプログラム記憶部１７が接続されている。
【００１２】
ここで、チューナ制御部１１は、Ａ／Ｖ出力制御部１３に映像情報および音声情報を送出する機能を備えている。
【００１３】
また、Ａ／Ｖ入力選択部１２には、４個の外部入力端子Ｔ１〜Ｔ４が接続されており、Ａ／Ｖ入力選択部１２は、これらの外部入力端子Ｔ１〜Ｔ４から任意の外部入力端子Ｔ１、Ｔ２、Ｔ３またはＴ４を選んで有効にする機能を備えている。そして、外部入力端子Ｔ１〜Ｔ４には、それぞれ外部機器３が接続されている。例えば、図１に示すように、外部入力端子Ｔ１には外部機器３としてＶＴＲ（ビデオテープレコーダ）３１が、外部入力端子Ｔ２には外部機器３としてゲーム機３２が、外部入力端子Ｔ３には外部機器３としてＤＶＤ（Digital Versatile Disc）プレーヤ３３が、外部入力端子Ｔ４には外部機器３としてハイビジョンレコーダ（ＨＤＭＩ対応機器）３４が、それぞれ接続されている。
【００１４】
また、Ａ／Ｖ出力制御部１３には、ディスプレイ６およびスピーカー７が接続されており、Ａ／Ｖ出力制御部１３は、ディスプレイ６に映像情報を送出するとともに、スピーカー７に音声情報を送出する機能を備えている。
【００１５】
また、優先順位テーブル記憶部１５には優先順位テーブルＰＴ（ＰＴ１、ＰＴ２、…）が読み出し自在に格納されている。この優先順位テーブルＰＴは、すべてのユーザに共通して作成されたものであり、画面モード（映画、ゲーム、スタンダード、ダイナミック、標準など）ごとに各ラベル名の優先順位が記されている。例えば、画面モードが「映画」である場合の優先順位テーブルＰＴ１には、図２に示すように、ラベル名「HDMI」が優先順位「１」であり、ラベル名「DVD」が優先順位「２」であり、ラベル名「VTR」が優先順位「３」であると記されており、優先順位「４」のラベル名は存在しない。また、画面モードが「ゲーム」である場合の優先順位テーブルＰＴ２には、図３に示すように、ラベル名「GAME」が優先順位「１」であると記されており、優先順位「２」「３」「４」のラベル名は、いずれも存在しない。
【００１６】
また、ラベル名テーブル記憶部１６にはラベル名テーブルＬＴ（ＬＴ１、ＬＴ２、…）が読み出し／書き込み自在に格納されている。このラベル名テーブルＬＴは、ユーザごとに別個に作成されたものであり、ラベル名と外部入力端子Ｔ１〜Ｔ４との対応関係が記されている。例えば、ユーザＵ１用のラベル名テーブルＬＴ１には、図４に示すように、ラベル名「HDMI」が外部入力端子Ｔ４に、ラベル名「DVD」が外部入力端子Ｔ３に、ラベル名「VTR」が外部入力端子Ｔ１に、ラベル名「GAME」が外部入力端子Ｔ２に、それぞれ対応すると記されている。また、ユーザＵ２用のラベル名テーブルＬＴ２には、図５に示すように、ラベル名「HDMI」が外部入力端子Ｔ１に、ラベル名「DVD」が外部入力端子Ｔ２に、ラベル名「VTR」が外部入力端子Ｔ４に、ラベル名「GAME」が外部入力端子Ｔ３に、それぞれ対応すると記されている。
【００１７】
さらに、プログラム記憶部１７には、図６に示す入力切替プログラムＰＲＧ１が読み出し自在に格納されている。
【００１８】
ＡＶシステム１は以上のような構成を有するので、テレビジョン受像機２に接続された任意の外部機器３（ＶＴＲ３１、ゲーム機３２、ＤＶＤプレーヤ３３またはハイビジョンレコーダ３４）を使用する際には、ユーザは、画面モードを指定した後、テレビジョン受像機２の入力切替ボタン１０を何回か押して所望の外部入力に切り替える。
【００１９】
このとき、入力切替装置５は、プログラム記憶部１７から入力切替プログラムＰＲＧ１を読み出し、この入力切替プログラムＰＲＧ１に基づき、以下に述べるとおり、入力切替ボタン１０が押されるたびに、画面モードに相応しい順序で外部入力端子Ｔ１〜Ｔ４を切り替える入力切替動作を実行する。
【００２０】
すなわち、入力切替ボタン１０が１回目に押された時点で、主制御部８は、画面モード判定部９に対して、画面モードの判定を指令する。これを受けて画面モード判定部９は、現在の画面モードを判定する（入力切替プログラムＰＲＧ１のステップＳ１）。例えば、ユーザが画面モードとして「映画」を指定していた場合、画面モード判定部９は、現在の画面モードを「映画」と判定する。
【００２１】
次に、主制御部８は、優先順位テーブルＰＴを優先順位テーブル記憶部１５から読み出して参照し、現在の画面モードに対応した各ラベル名の優先順位を認識する（入力切替プログラムＰＲＧ１のステップＳ２）。例えば、現在の画面モードが「映画」である場合、優先順位テーブルＰＴ１により、優先順位「１」のラベル名は「HDMI」であり、優先順位「２」のラベル名は「DVD」であり、優先順位「３」のラベル名は「VTR」であり、優先順位「４」のラベル名は存在しないと認識する。また、現在の画面モードが「ゲーム」である場合、優先順位テーブルＰＴ２により、優先順位「１」のラベル名は「GAME」であり、優先順位「２」「３」「４」のラベル名は、いずれも存在しないと認識する。
【００２２】
次に、主制御部８は、ラベル名テーブルＬＴをラベル名テーブル記憶部１６から読み出して参照し、ラベル名と外部入力端子Ｔ１〜Ｔ４との対応関係を認識する（入力切替プログラムＰＲＧ１のステップＳ３）。例えば、ユーザＵ１の場合は、ラベル名テーブルＬＴ１により、ラベル名「HDMI」に対応するのは外部入力端子Ｔ４であり、ラベル名「DVD」に対応するのは外部入力端子Ｔ３であり、ラベル名「VTR」に対応するのは外部入力端子Ｔ１であり、ラベル名「GAME」に対応するのは外部入力端子Ｔ２であると認識する。また、ユーザＵ２の場合は、ラベル名テーブルＬＴ２により、ラベル名「HDMI」に対応するのは外部入力端子Ｔ１であり、ラベル名「DVD」に対応するのは外部入力端子Ｔ２であり、ラベル名「VTR」に対応するのは外部入力端子Ｔ４であり、ラベル名「GAME」に対応するのは外部入力端子Ｔ３であると認識する。
【００２３】
次に、主制御部８は、現在の優先順位を「０」（テレビ視聴）とし、次の優先順位、つまり優先順位「１」のラベル名に対応する外部入力端子Ｔ１、Ｔ２、Ｔ３またはＴ４の接続状況をチェックするようＡ／Ｖ入力選択部１２に指令する。これを受けてＡ／Ｖ入力選択部１２は、優先順位「１」のラベル名に対応する外部入力端子Ｔ１、Ｔ２、Ｔ３またはＴ４に外部機器３が接続されているか否かを判定する（入力切替プログラムＰＲＧ１のステップＳ４）。例えば、現在の画面モードが「映画」であるとき、ユーザＵ１の場合は、優先順位「１」のラベル名「HDMI」に対応する外部入力端子Ｔ４に外部機器３が接続されているか否かを判定し、ユーザＵ２の場合は、優先順位「１」のラベル名「HDMI」に対応する外部入力端子Ｔ１に外部機器３が接続されているか否かを判定する。
【００２４】
その結果、優先順位「１」のラベル名に対応する外部入力端子Ｔ１、Ｔ２、Ｔ３またはＴ４に外部機器３が接続されている場合、Ａ／Ｖ入力選択部１２は、主制御部８に対して、その旨の信号を出力する。すると、主制御部８は、Ａ／Ｖ入力選択部１２に対して、入力切替を指令する。これを受けてＡ／Ｖ入力選択部１２は、優先順位「１」のラベル名に対応する外部入力端子Ｔ１、Ｔ２、Ｔ３またはＴ４に切り替えて有効にする（入力切替プログラムＰＲＧ１のステップＳ５）。すると、現在の画面モードに最も相応しい外部入力端子Ｔ１、Ｔ２、Ｔ３またはＴ４が有効となる。ここで、入力切替プログラムＰＲＧ１に基づく入力切替動作が終了する。
【００２５】
他方、優先順位「１」のラベル名に対応する外部入力端子Ｔ１、Ｔ２、Ｔ３またはＴ４に外部機器３が接続されていない場合、Ａ／Ｖ入力選択部１２は、この外部入力端子Ｔ１、Ｔ２、Ｔ３またはＴ４を切替候補から外した後、主制御部８に対して、優先順位「１」のラベル名に対応する外部入力端子Ｔ１、Ｔ２、Ｔ３またはＴ４に外部機器３が接続されていない旨の信号を出力する。すると、主制御部８は、次の優先順位、つまり優先順位「２」のラベル名が存在するか否かを優先順位テーブルＰＴに基づいて判定する（入力切替プログラムＰＲＧ１のステップＳ６）。その結果、画面モードが「映画」である場合は、優先順位テーブルＰＴ１により、優先順位「２」のラベル名「DVD」が存在すると判定され、画面モードが「ゲーム」である場合は、優先順位テーブルＰＴ２により、優先順位「２」のラベル名が存在しないと判定される。
【００２６】
そして、優先順位「２」のラベル名が存在しない場合、優先順位「１」以外のラベル名は甲乙つけがたいので、入力切替プログラムＰＲＧ１に基づく入力切替動作が終了する。
【００２７】
他方、優先順位「２」のラベル名が存在する場合、主制御部８は、入力切替ボタン１０が２回目に押された時点で（入力切替プログラムＰＲＧ１のステップＳ７）、優先順位「２」のラベル名に対応する外部入力端子Ｔ１、Ｔ２、Ｔ３またはＴ４の接続状況をチェックするようＡ／Ｖ入力選択部１２に指令する。これを受けてＡ／Ｖ入力選択部１２は、優先順位「２」のラベル名に対応する外部入力端子Ｔ１、Ｔ２、Ｔ３またはＴ４に外部機器３が接続されているか否かを判定する（入力切替プログラムＰＲＧ１のステップＳ４）。例えば、現在の画面モードが「映画」であるとき、ユーザＵ１の場合は、優先順位「２」のラベル名「DVD」に対応する外部入力端子Ｔ３に外部機器３が接続されているか否かを判定し、ユーザＵ２の場合は、優先順位「２」のラベル名「DVD」に対応する外部入力端子Ｔ２に外部機器３が接続されているか否かを判定する。
【００２８】
その結果、優先順位「２」のラベル名に対応する外部入力端子Ｔ１、Ｔ２、Ｔ３またはＴ４に外部機器３が接続されている場合、Ａ／Ｖ入力選択部１２は、主制御部８に対して、その旨の信号を出力する。すると、主制御部８は、Ａ／Ｖ入力選択部１２に対して、入力切替を指令する。これを受けてＡ／Ｖ入力選択部１２は、優先順位「２」のラベル名に対応する外部入力端子Ｔ１、Ｔ２、Ｔ３またはＴ４に切り替えて有効にする（入力切替プログラムＰＲＧ１のステップＳ５）。すると、現在の画面モードに２番目に相応しい外部入力端子Ｔ１、Ｔ２、Ｔ３またはＴ４が有効となる。ここで、入力切替プログラムＰＲＧ１に基づく入力切替動作が終了する。
【００２９】
他方、優先順位「２」のラベル名に対応する外部入力端子Ｔ１、Ｔ２、Ｔ３またはＴ４に外部機器３が接続されていない場合、Ａ／Ｖ入力選択部１２は、この外部入力端子Ｔ１、Ｔ２、Ｔ３またはＴ４を切替候補から外した後、主制御部８に対して、優先順位「２」のラベル名に対応する外部入力端子Ｔ１、Ｔ２、Ｔ３またはＴ４に外部機器３が接続されていない旨の信号を出力する。すると、主制御部８は、次の優先順位、つまり優先順位「３」のラベル名が存在するか否かを優先順位テーブルＰＴに基づいて判定する（入力切替プログラムＰＲＧ１のステップＳ６）。その結果、画面モードが「映画」である場合は、優先順位テーブルＰＴ１により、優先順位「３」のラベル名「VTR」が存在すると判定され、画面モードが「ゲーム」である場合は、優先順位テーブルＰＴ２により、優先順位「３」のラベル名が存在しないと判定される。
【００３０】
そして、優先順位「３」のラベル名が存在しない場合は、優先順位「１」「２」以外のラベル名は甲乙つけがたいので、入力切替プログラムＰＲＧ１に基づく入力切替動作が終了する。
【００３１】
他方、優先順位「３」のラベル名が存在する場合、主制御部８は、入力切替ボタン１０が３回目に押された時点で（入力切替プログラムＰＲＧ１のステップＳ７）、優先順位「３」のラベル名に対応する外部入力端子Ｔ１、Ｔ２、Ｔ３またはＴ４の接続状況をチェックするようＡ／Ｖ入力選択部１２に指令する。これを受けてＡ／Ｖ入力選択部１２は、優先順位「３」のラベル名に対応する外部入力端子Ｔ１、Ｔ２、Ｔ３またはＴ４に外部機器３が接続されているか否かを判定する（入力切替プログラムＰＲＧ１のステップＳ４）。例えば、現在の画面モードが「映画」であるとき、ユーザＵ１の場合は、優先順位「３」のラベル名「VTR」に対応する外部入力端子Ｔ１に外部機器３が接続されているか否かを判定し、ユーザＵ２の場合は、優先順位「３」のラベル名「VTR」に対応する外部入力端子Ｔ４に外部機器３が接続されているか否かを判定する。
【００３２】
その結果、優先順位「３」のラベル名に対応する外部入力端子Ｔ１、Ｔ２、Ｔ３またはＴ４に外部機器３が接続されている場合、Ａ／Ｖ入力選択部１２は、主制御部８に対して、その旨の信号を出力する。すると、主制御部８は、Ａ／Ｖ入力選択部１２に対して、入力切替を指令する。これを受けてＡ／Ｖ入力選択部１２は、優先順位「３」のラベル名に対応する外部入力端子Ｔ１、Ｔ２、Ｔ３またはＴ４に切り替えて有効にする（入力切替プログラムＰＲＧ１のステップＳ５）。すると、現在の画面モードに３番目に相応しい外部入力端子Ｔ１、Ｔ２、Ｔ３またはＴ４が有効となる。ここで、入力切替プログラムＰＲＧ１に基づく入力切替動作が終了する。
【００３３】
他方、優先順位「３」のラベル名に対応する外部入力端子Ｔ１、Ｔ２、Ｔ３またはＴ４に外部機器３が接続されていない場合、Ａ／Ｖ入力選択部１２は、この外部入力端子Ｔ１、Ｔ２、Ｔ３またはＴ４を切替候補から外した後、主制御部８に対して、優先順位「３」のラベル名に対応する外部入力端子Ｔ１、Ｔ２、Ｔ３またはＴ４に外部機器３が接続されていない旨の信号を出力する。すると、主制御部８は、次の優先順位、つまり優先順位「４」のラベル名が存在するか否かを優先順位テーブルＰＴに基づいて判定する（入力切替プログラムＰＲＧ１のステップＳ６）。その結果、画面モードが「映画」である場合は、優先順位テーブルＰＴ１により、優先順位「４」のラベル名が存在しないと判定され、画面モードが「ゲーム」である場合は、優先順位テーブルＰＴ２により、優先順位「４」のラベル名が存在しないと判定される。
【００３４】
そして、優先順位「４」のラベル名が存在しない場合は、優先順位「１」「２」「３」以外のラベル名は甲乙つけがたいので、入力切替プログラムＰＲＧ１に基づく入力切替動作が終了する。
【００３５】
他方、優先順位「４」のラベル名が存在する場合、主制御部８は、入力切替ボタン１０が４回目に押された時点で（入力切替プログラムＰＲＧ１のステップＳ７）、優先順位「４」のラベル名に対応する外部入力端子Ｔ１、Ｔ２、Ｔ３またはＴ４の接続状況をチェックするようＡ／Ｖ入力選択部１２に指令する。これを受けてＡ／Ｖ入力選択部１２は、優先順位「４」のラベル名に対応する外部入力端子Ｔ１、Ｔ２、Ｔ３またはＴ４に外部機器３が接続されているか否かを判定する（入力切替プログラムＰＲＧ１のステップＳ４）。
【００３６】
その結果、優先順位「４」のラベル名に対応する外部入力端子Ｔ１、Ｔ２、Ｔ３またはＴ４に外部機器３が接続されている場合、Ａ／Ｖ入力選択部１２は、主制御部８に対して、その旨の信号を出力する。すると、主制御部８は、Ａ／Ｖ入力選択部１２に対して、入力切替を指令する。これを受けてＡ／Ｖ入力選択部１２は、優先順位「４」のラベル名に対応する外部入力端子Ｔ１、Ｔ２、Ｔ３またはＴ４に切り替えて有効にする（入力切替プログラムＰＲＧ１のステップＳ５）。すると、現在の画面モードに４番目に相応しい外部入力端子Ｔ１、Ｔ２、Ｔ３またはＴ４が有効となる。ここで、入力切替プログラムＰＲＧ１に基づく入力切替動作が終了する。
【００３７】
他方、優先順位「４」のラベル名に対応する外部入力端子Ｔ１、Ｔ２、Ｔ３またはＴ４に外部機器３が接続されていない場合、この外部入力端子Ｔ１、Ｔ２、Ｔ３またはＴ４に切り替えても無駄であるため、入力切替プログラムＰＲＧ１に基づく入力切替動作が終了する。
【００３８】
このように、外部機器３を使用する際には、入力切替ボタン１０が押されるたびに、画面モードに相応しい順序で外部入力端子Ｔ１〜Ｔ４が切り替わるため、視聴履歴に基づいて入力切替が行われる公知技術１と異なり、新規接続の場合においても、相応しい入力に素早く切り替え、ユーザの入力切替手間を省くことが可能となる。
【００３９】
また、外部入力端子Ｔ１〜Ｔ４に外部機器３が接続されていない場合には、その外部入力端子Ｔ１〜Ｔ４が切替候補から外されるので、外部機器３が接続されている外部入力端子Ｔ１〜Ｔ４だけが切替候補に残ることから、ユーザの入力切替手間をますます省くことができる。
【００４０】
なお、上述の実施形態においては、各画面モードに複数個のラベル名を対応させ、これらのラベル名間に優先順位を付しておき、この優先順位に基づいて外部入力端子Ｔ１〜Ｔ４を切り替える場合について説明した。しかし、各画面モードにラベル名を１つ（通常、優先順位「１」のラベル名）だけ対応させておき、ラベル名間の優先順位を考慮することなく、画面モードのみに基づいて外部入力端子Ｔ１〜Ｔ４を切り替えるようにしても構わない。
【００４１】
なお、上述の実施形態においては、表示機器としてテレビジョン受像機２を備えたＡＶシステム１について説明したが、テレビジョン受像機２以外の表示機器を代用することも可能である。
【図面の簡単な説明】
【００４２】
【図１】本発明に係るＡＶシステムの一実施形態を示すブロック図である。
【図２】優先順位テーブルの第１例を示す模式図である。
【図３】優先順位テーブルの第２例を示す模式図である。
【図４】ラベル名テーブルの第１例を示す模式図である。
【図５】ラベル名テーブルの第２例を示す模式図である。
【図６】入力切替プログラムの一例を示すフローチャートである。
【符号の説明】
【００４３】
１……ＡＶシステム
２……テレビジョン受像機（表示機器）
３……外部機器
５……入力切替装置
８……主制御部
９……画面モード判定部（画面モード判定手段）
１０……入力切替ボタン
１２……Ａ／Ｖ入力選択部（入力切替手段）
１３……Ａ／Ｖ出力制御部
１５……優先順位テーブル記憶部（優先順位テーブル記憶手段）
１６……ラベル名テーブル記憶部（ラベル名テーブル記憶手段）
３１……ＶＴＲ
３２……ゲーム機
３３……ＤＶＤプレーヤ
３４……ハイビジョンレコーダ
Ｔ１〜Ｔ４……外部入力端子
【図１】
2007306117.tif 000003
【図２】
2007306117.tif 000004
【図３】
2007306117.tif 000005
【図４】
2007306117.tif 000006
【図５】
2007306117.tif 000007
【図６】
2007306117.tif 000008